(57)【要約】【課題】物の出し入れをしやすく、且つ意匠性が向上した扉付き箱状家具を提供すること【解決手段】箱本体１１の側面に設けられた開口部２４を開閉自在に覆う回動式の扉２０を有する箱状の家具１０である。家具１０は、扉２０の閉位置において扉２０の上端縁部２０ｃに設けられた凹部２６内の底部２６ｂに自重により載置されるとともに、底部２６ｂから上方への移動も許容されている第１磁性体２８と、扉２０の閉位置において第１磁性体２８と対向する、箱本体１１における開口部２４の上縁部に埋設された第２磁性体３０と、を有し、第１磁性体２８は、扉１１が閉位置に在るときに第２磁性体３０に吸着され、扉２０を閉位置で固定する。したがって、扉を閉位置で固定するために開口部に戸当たり等を設ける必要が無くなることから、これを省略することで物の出し入れのしやすさを向上させ、且つ、意匠性を向上させることが可能となる。【選択図】図３
2018174999.tif 000002
【特許請求の範囲】
【請求項１】
箱本体の側面に設けられた開口部を開閉自在に覆う回動式の扉を有する箱状の家具において、
前記扉の閉位置において前記扉の上端縁部に設けられた凹部内の底部に自重により載置されるとともに、前記底部から上方への移動も許容されている第１磁性体と、
前記扉の閉位置において前記第１磁性体と対向する、前記箱本体における前記開口部の上縁部に埋設された第２磁性体と、を有し、
前記第１磁性体は、前記扉が閉位置に在るときに前記第２磁性体に吸着され、前記扉を前記閉位置で固定することを特徴とする家具。
【請求項２】
前記第１磁性体は、前記第２磁性体に対する吸着位置と前記凹部内における載置位置との間の距離の上下動が許容される形態で前記凹部内において前記扉に固定されていることを特徴とする請求項１に記載の家具。
【請求項３】
前記開口部は、天板、底板及び側板によって形成される略矩形の開口部であり、
前記箱本体における前記開口部の上縁部は、前記天板の下面部であり、
前記扉は、側板の正面側端部よりも前記箱本体の幅方向外方且つ正面側位置において前記天板及び底板に回動可能に軸支されると共に、前記開口部を開放する方向に回動して前記側板の外側面部と前記扉の正面部とが対向する該扉の開放位置において前記第１磁性体と対向する前記天板の下面部に埋設された第３磁性体を有し、
前記第１磁性体は、前記扉が前記開放位置に在るときに前記第３磁性体に吸着され、前記扉を前記開放位置で固定することを特徴とする請求項１又は２に記載の家具。
【請求項４】
前記開口部は、天板、底板及び側板によって形成される略矩形の開口部であり、
前記箱本体における前記開口部の上縁部は、前記天板の下面部であり、
前記扉が、前記側板の正面側端部よりも前記箱本体の幅方向外方且つ正面側位置において前記天板及び底板に回動可能に軸支されており、
前記閉位置において扉の裏面部が前記側板の正面側端部に当接して該扉の閉方向へのさらなる回動が規制されることを特徴とする請求項１〜３の何れか１項に記載の家具。
【発明の詳細な説明】
【技術分野】
【０００１】
本発明は、扉付きの家具に関し、特に、箱本体の側面に設けられた開口部を開閉自在に覆う扉を有する家具に関する。
【背景技術】
【０００２】
ロッカー、食器棚、下駄箱、戸棚等の扉を側面に有する箱状の家具は、扉を開けて開口部から家具内部に物の収納を行う。かかる箱状の家具においては、回動式の扉が設けられていることから、扉の閉状態の位置決めをして、その位置を維持するための戸当たりや戸受けが側面や天面から突出していることが一般的である。このような戸当たりや戸受けは開口部の周縁部から家具内スペース側へと突出しているので、開口部から収納物を出し入れする際には、この戸当たりや戸受けに収納物がぶつからないように行わなければならず、スムーズな出し入れ動作を妨げていた。
【０００３】
また、特に、仏壇や扉を有する神棚などの場合には、扉を全開にした場合に、内部に鎮座する仏様、神様の前に戸当たりや戸受けが側面や天面から突出することになり、上記出し入れの不便性だけでなく意匠性に欠けるという不具合もあった。
【０００４】
特許文献１には、建物のドア（扉）の開放時に用いられる戸当たりの代用としての扉の固定機構が開示されている。具体的には、特許文献１には、建物の扉の底部に、床面に対して進退自在に設けられた先端部に磁石を有する扉側部材と、扉の開放位置において前記扉側部材に対応させて床面に配設された前記磁石を吸着可能な床側部材と、を備えた扉の固定機構が開示されている。
【０００５】
この扉の固定機構によれば、通常は扉側部材の先端部の磁石はバネで床面と離反する方向に付勢されているが、扉の開放位置において磁石と床側部材との間に生じる磁力により扉側部材が付勢力に抗して扉内から引き出され、磁石が床側部材と吸着し、扉を開放状態で固定することが可能となっている。
【０００６】
これにより、扉の開放時に用いられる戸当たりを設けることなく、扉の開放状態での位置保持の機能が発揮されている。
【先行技術文献】
【特許文献】
【０００７】
【特許文献１】特開平１１−２９３９９４号公報
【発明の概要】
【発明が解決しようとする課題】
【０００８】
しかし、特許文献１に記載の扉の固定機構は、上述のように扉の閉状態ではなく扉の開放状態の固定機構であって、扉の閉状態における枠状の戸当たりを代用するものではない。また、特許文献１には、建物のドアの開放時に用いる床から突出した戸当たりは掃除や歩行の邪魔になると記載されているものの、建物のドアを閉じる時に用いられる戸口の開口部に設けられた枠状の戸当たりについて上述した収納物の出し入れの不便性や意匠性の悪さの問題を開示する記載がない。
【０００９】
したがって、箱状の家具の開口部に設けられた戸当たりや戸受けが家具への物の出し入れや意匠性に与える影響について、いまだ改善の余地が残されている。
【００１０】
本発明は、上記課題に鑑みてなされたものであり、その目的は、物の出し入れをしやすく、且つ意匠性が向上した扉付き箱状家具を提供することにある。
【課題を解決するための手段】
【００１１】
上記目的を達成するための請求項１に記載の発明は、箱本体の側面に設けられた開口部を開閉自在に覆う回動式の扉を有する箱状の家具において、前記扉の閉位置において前記扉の上端縁部に設けられた凹部内の底部に自重により載置されるとともに、前記底部から上方への移動も許容されている第１磁性体と、前記扉の閉位置において前記第１磁性体と対向する、前記箱本体における前記開口部の上縁部に埋設された第２磁性体と、を有し、前記第１磁性体は、前記扉が閉位置に在るときに前記第２磁性体に吸着され、前記扉を前記閉位置で固定することを特徴とする。
【００１２】
この構成によれば、扉が閉位置に在るときに第１磁性体が第２磁性体に吸着され、扉を閉位置で固定することから、扉を閉位置で固定するために開口部に戸当たりや戸受けを設ける必要が無くなる。
【００１３】
したがって、開口部の戸当たりや戸受けの配置を省略することで、物の出し入れのしやすさを向上させ、且つ、意匠性を向上させることが可能となる。
【００１４】
請求項２に記載の発明は、請求項１に記載の家具において、前記第１磁性体は、前記第２磁性体に対する吸着位置と前記凹部内における載置位置との間の距離の上下動が許容される形態で前記凹部内において前記扉に固定されていることを特徴とする。
【００１５】
この構成によれば、第１磁性体が扉の凹部内に固定されることとなるため、扉の開放時に第１磁性体が凹部から脱落するおそれも無く、安心である。
【００１６】
請求項３に記載の発明は、請求項１又は２に記載の家具において、前記開口部は、天板、底板及び側板によって形成される略矩形の開口部であり、前記箱本体における前記開口部の上縁部は、前記天板の下面部であり、前記扉は、側板の正面側端部よりも前記箱本体の幅方向外方且つ正面側位置において前記天板及び底板に回動可能に軸支されると共に、前記開口部を開放する方向に回動して前記側板の外側面部と前記扉の正面部とが対向する該扉の開放位置において前記第１磁性体と対向する前記天板の下面部に埋設された第３磁性体を有し、前記第１磁性体は、前記扉が前記開放位置に在るときに前記第３磁性体に吸着され、前記扉を前記開放位置で固定することを特徴とする。
【００１７】
この構成によれば、扉が開放位置に在るときにも第１磁性体が第２磁性体に吸着され、扉を開放位置で固定することから、扉を開放位置で固定するためにこの開放位置における天板等に戸当たりや戸受けを設ける必要が無くなる。
【００１８】
したがって、扉の開放位置における天板等の戸当たりや戸受けの配置を省略することで、より意匠性を向上させることが可能となる。
【００１９】
請求項４に記載の発明は、請求項１〜３の何れか１項に記載の家具において、前記開口部は、天板、底板及び側板によって形成される略矩形の開口部であり、前記箱本体における前記開口部の上縁部は、前記天板の下面部であり、前記扉が、前記側板の正面側端部よりも前記箱本体の幅方向外方且つ正面側位置において前記天板及び底板に回動可能に軸支されており、前記閉位置において扉の裏面部が前記側板の正面側端部に当接して該扉の閉方向へのさらなる回動が規制されることを特徴とする。
【００２０】
この構成によれば、第１磁性体が第２磁性体に吸着される扉の閉位置において扉の裏面部が側板の正面側端部に当接して扉の閉方向へのさらなる回動が規制されるため、扉を閉位置で固定するに際に、扉の裏面部が側板の正面側端部に当接するまで回動させればよく、閉動作が容易なものとなっている。
【００２１】
また、側板の正面側端部が扉の閉方向への回動を規制するため、開口部近傍への戸当たりを設ける必要もない。
【発明の効果】
【００２２】
本発明によれば、扉が閉位置に在るときに第１磁性体が第２磁性体に吸着され、扉を閉位置で固定することから、扉を閉位置で固定するために開口部に戸当たりや戸受けを設ける必要が無くなる。
【００２３】
したがって、開口部の戸当たりや戸受けの配置を省略することで、物の出し入れのしやすさを向上させ、且つ、意匠性を向上させることが可能となる。
【図面の簡単な説明】
【００２４】
【図１】本発明の実施の形態に係る家具の斜視図である。
【図２】本実施の形態に係る家具の底面図であって、扉が（ａ）閉位置及び（ｂ）開放位置に在る状態を示す図である。
【図３】図１のＩＩＩ−ＩＩＩ線断面図である。
【図４】扉が閉位置及び開放位置に無い状態における第１磁性体の配置を示す図である。
【図５】第１磁性体の変形例を示す、扉上端部の拡大縦断面図である。それぞれ、（ａ）第１磁性体の凹部内の底部への載置状態及び（ｂ）第２磁性体に吸着された状態をしめす。
【発明を実施するための形態】
【００２５】
次に、本発明の実施の形態について図に基づいて詳細に説明する。本発明の箱状の家具を、図１〜図４を参照して説明する。図１は本実施の形態に係る家具の斜視図、図２は本実施の形態に係る家具の底面図、図３は図１のＩＩＩ−ＩＩＩ線断面図、図４は扉が閉位置及び開放位置に無い状態における第１磁性体の配置を示す図である。
【００２６】
各図において、矢印Ｗは家具の幅方向を示し、矢印Ｆは家具の正面方向を示し、矢印Ｕは家具の上下方向上方を示す。なお、図２においては、底板の図示を省略している。
【００２７】
図１に示すように、家具１０は、略矩形の天板１２、側板１４−１，１４−２、背板１６（図２参照）、底板１８及び正面に配置された両開きの扉２０−１，２０−２を有する略直方体の箱本体１１として形成されている。
【００２８】
したがって、天板１２の正面側端部１２ａ、側板１４−１，１４−２の正面側端部１４−１ａ，１４−２ａ、底板１８の正面側端部１８ａに囲まれた領域が開口部２４（図２（ｂ）参照）を形成しており、この開口部２４が扉２０−１，２０−２により開閉される。
【００２９】
扉２０−１，２０−２は、図２に示すように、幅方向外側端部において天板１２及び底板１８に軸支されている。扉２０−１，２０−２の軸支には、例えば、軸吊丁番２２を用いることができる。
【００３０】
ここで、図２（ａ）に示すように、平面視の軸吊丁番２２−１，２２−２の位置（すなわち、平面視の扉２０−１，２０−２の軸支位置）は、側板１４−１，１４−２の正面側端部１４−１ａ，１４−２ａよりも箱本体１１の幅方向外方且つ正面側位置である。
【００３１】
そして、図１及び図２（ａ）に示すように、扉２０−１，２０−２が閉位置にある場合において、図２（ａ）に示すように、扉２０−１，２０−２の裏面部２０−１ｂ，２０−２ｂは側板１４−１，１４−２の正面側端部１４−１ａ，１４−２ａにそれぞれ当接する位置にある。
【００３２】
また、扉２０−１，２０−２は、図２（ｂ）に示すように、軸吊丁番２２−１，２２−２の位置を中心として開方向（矢印１００ｃ，１００ｄ方向）に回動し、同図に示す開放位置において正面部２０−１ａ，２０−２ａが側板の外側面部１４−１ｂ，１４−２ｂと対向する位置となる。
【００３３】
したがって、図２（ａ）に示すように、閉位置からの扉２０−１，２０−２のさらなる閉方向（矢印１００ａ，１００ｂ方向）への回動が規制されており、図２（ｂ）に示すように、開放位置において扉２０−１，２０−２のさらなる開方向（矢印１００ｃ，１００ｄ方向）への回動が規制されている。
【００３４】
次に、扉２０−１及び天板１２に設けられる磁性体について説明する。なお、これ以降、扉２０−２に設けられる磁性体及びこれに対応して天板１２に設けられる磁性体については、扉２０−１及び天板に設けられる磁性体と左右対称の配置となっているため、その説明を省略する。
【００３５】
扉２０−１の上端縁部２０−１ｃの幅方向中央側寄り位置には、図３に示すように、略円筒形状の凹部２６−１が設けられている。凹部２６−１の底部２６−１ｂには、凹部２６−１の高さよりもやや小さい高さを有する略円柱形状の第１磁性体２８−１が自重により載置されている。
【００３６】
第１磁性体２８−１は、後述する第２磁性体３０−１及び第３磁性体３２−１に磁力で吸着される。
【００３７】
第１磁性体２８、第２磁性体３０及び第３磁性体３２は、それぞれ、永久磁石及び強磁性体から選択される。強磁性体としては、鉄、コバルト、ニッケル及びこれらの合金（フェライト等）が挙げられる。
【００３８】
一方、図３に示すように、天板１２の下面部１２ｂ（開口部２４の上縁部）には、閉位置に在る扉２０−１の凹部２６−１の底部２６−１ｂに載置された第１磁性体２８−１と対向する位置で第２磁性体３０−１が埋設されており、第２磁性体３０−１の下面３０−１ａと天板１２の下面部１２ｂは面一に形成されている。
【００３９】
また、図３に示すように、第１磁性体２８−１の高さｈは、天板１２の下面部１２ｂと扉２０−１の上端縁部２０−１ｃとの間の距離ｄよりも大きい。これは、第１磁性体２８−１が第２磁性体３０−１に吸着された際に、扉２０−１を第２磁性体３０−１に吸着された第１磁性体２８−１に係止させ、扉２０−１の挙動を閉位置で規制するためである。
【００４０】
また、天板１２の下面部１２ｂには、開放位置に在る扉２０−１の凹部２６−１の底部２６−１ｂに載置された第１磁性体２８−１と対向する位置で第３磁性体３２−１が埋設されており、第３磁性体３２−１の下面３２−１ａと天板１２の下面部１２ｂは面一に形成されている。
【００４１】
次に、家具１０の、扉２０−１を閉じるときの動きを、扉２０−１を開放位置でも閉位置でもない位置から閉位置に移動させる場合を例に説明する。
【００４２】
扉２０−１が開放位置でも閉位置でも無い状態において、図４に示すように、第１磁性体２８−１は、凹部２６−１内の載置位置にある。
【００４３】
次に、扉２０−１をその裏面部２０−１ｂが側板１４−１の正面側端部１４−１ａに当接するまで閉方向に回動させる。これにより扉２０−１は閉位置まで移動し、図３に示すように、第１磁性体２８−１は、対向する位置にある第２磁性体３０−１に吸着される。
【００４４】
この状態で扉２０−１を開放方向に動かそうとすると、凹部２６−１の内周壁２６−１ａが第１磁性体２８−１の周面に接触し、開放方向への扉２０−１の移動を規制する。
【００４５】
したがって、扉２０−１が閉位置で固定されることとなり、扉２０−１を閉位置に固定するために開口部２４から家具１０内スペースへと突出する戸当たりや戸受けを設ける必要が無くなる。
【００４６】
また、扉２０−１の閉位置において、扉２０−１の裏面部２０−１ｂが側板１４−１の正面側端部１４−１ａに当接して扉２０−１の閉方向へのさらなる回動が規制されるため、扉２０−１を閉位置で固定する際に、扉２０−１をその裏面部２０−１ｂが側板１４−１の正面側端部１４−１ａに当接するまで回動させればよく、閉動作が容易なものとなっている。同時に、この構成により、開口部２４から家具１０内スペースへと突出する戸当たりを設ける必要もなくなっている。
【００４７】
次に、家具１０の、扉２０−１を開けるときの動きを、扉２０−１を閉位置から開放位置に移動させる場合を例に説明する。
【００４８】
まず、扉２０−１を閉位置から開放方向へと回動させる。このとき、第２磁性体３０−１に吸着された第１磁性体２８−１の周面が凹部２６−１の内周壁２６−１ａに接触し、扉２０−１の開放方向への移動を規制しているが、第２磁性体３０−１と第１磁性体２８−１との吸着面に作用する摩擦力よりも大きな力を加えることで第１磁性体２８−１による扉２０−１の固定が解除され、扉２０−１は閉位置から開放方向へと移動する。
【００４９】
その後、さらに扉２０−１を回動させ、扉２０−１の正面部２０−１ａを側板１４−１の外側面部１４−１ｂと対向・接触させる。これにより、扉２０−１は開放位置まで移動し、第１磁性体２８−１は、対向する位置にある第３磁性体３２−１に吸着される。
【００５０】
この状態で扉２０−１を閉方向に動かそうとすると、凹部２６−１の内周壁２６−１ａが第１磁性体２８−１の周面に接触し、閉方向への扉２０−１の移動を規制する。
【００５１】
したがって、扉２０−１が開放位置で固定されることとなり、扉２０−１を開放位置で固定するためにこの開放位置における天板１２や底板１８に戸当たりを設ける必要が無くなるとともに、扉２０−１の開放位置における戸当たりや戸受けの配置を省略することで、家具１０の意匠性をより向上させることが可能となる。
【００５２】
また、上記実施の形態においては、第１磁性体２８−１は凹部２６−１内において扉２０−１に固定されていないが、本発明はこれに限定されるものではない。
【００５３】
以下に、第１磁性体の変形例を、図５を参照して説明する。本変形例においては、第１磁性体４０−１は、所定距離の上下動が許容されつつ凹部２６−１内において扉２０−１に固定された形態を有する。なお、上記実施の形態と同様の構成要素には同一の符号を付することでその詳細な説明を省略する。
【００５４】
図５は、第１磁性体の変形例を示す、扉上端部の拡大縦断面図である。それぞれ、（ａ）第１磁性体の凹部内の底部への載置状態及び（ｂ）第２磁性体に吸着された状態をしめす。
【００５５】
図５（ａ）に示すように、第１磁性体４０−１は、扉２０−１の上端縁部２０−１ｃの凹部２６−１に収容される大きさの有底円筒形状を有し、第１磁性体の穴部４１−１の底部４１−１ａには、第１磁性体４０−１の底面部４０−１ａまで貫通する貫通孔４２−１が設けられている。
【００５６】
第１磁性体４０−１は、この貫通孔４２−１を貫通した釘４４によって凹部２６−１の底部２６−１ｂに固定されている。このとき、第１磁性体４０−１が第２磁性体３０−１にも第３磁性体３２−１とも対向していない状態においては、図５（ａ）に示すように、第１磁性体４０−１は扉２０−１の上端縁部２０−１ｃの凹部２６−１の底部２６−１ｂ上に載置された載置位置にある。
【００５７】
一方、図５（ｂ）に示すように、第１磁性体４０−１が第２磁性体３０−１と対向する閉位置においては、第１磁性体４０−１は磁力により第２磁性体３０−１に吸着される吸着位置まで移動することが許容される。
【００５８】
なお、第１磁性体４０−１は第２磁性体３０−１との吸着位置において釘４４の頭部４４ａによってさらなる上方への移動が係止されている。
【００５９】
ここで、扉２０−１の閉位置における上記第１磁性体４０−１と第２磁性体３０−１との位置関係は、扉２０−１の開放位置における第１磁性体４０−１と第３磁性体３２−１との位置関係にも当てはまるので、第３磁性体３２−１と第１磁性体４０−１との位置関係についての記載は省略する。
【００６０】
したがって、本変形例に係る第１磁性体４０−１によれば、第１磁性体４０−１が扉２０−１の凹部２６−１内に固定されることとなるため、家具の運搬時などに扉２０−１が半開きの状態で横向き又は下向きで搬送されることとなった場合であっても、第１磁性体４０−１が凹部２６−１から脱落するおそれもなく、安心である。
【００６１】
なお、本発明は上記実施の形態に限定されることはなく、発明の趣旨を逸脱しない範囲で種々変更可能である。例えば、上記実施の形態において、家具を両開きの扉２０−１，２０−２を有する家具として例示したが、片開きの扉を有する家具とすることも可能である。
【００６２】
また、本発明に係る家具としては、側面に扉を有する箱状の家具であればどのようなものであってもよく、例えば、ロッカー、食器棚、下駄箱、戸棚、仏壇、本棚、テレビボード、化粧箪笥等を挙げることができる。
【００６３】
さらに、本実施の形態においては、開口部２４を、天板１２、底板１８及び側板１４−１，１４−２によって形成される略矩形の開口部として説明しているが、これに限られるものでは無い。すなわち、開口部は箱本体１１の側面に設けられていればよく、例えば、箱本体１１の側面の一部を扉とする構成であってもよい。なお、ここでいう側面とは、天板１２と底板１４との間の側面を意味しており、したがって、本発明において側面というときには、天板１２及び側板１４との間の挟まれた正面、背面、幅方向両側面の全側周面を含む。
【００６４】
また、本実施の形態において、扉の回動軸は軸吊丁番２２−１，２２−２から形成される上下方向の回動軸となっているが、これに限られるものではなく、箱体の幅方向に伸長する回動軸とすることも可能である。
【００６５】
例えば、本実施の形態の家具１０を用いて例示すれば、側板１４−１，１４−２の下端部における正面側端部１４−１ａ，１４−２ａ近傍位置において幅方向に伸長する水平軸を設け、この水平軸によって開口部２４に設けられた一枚板の扉を軸支することとしてもよい。扉はこの水平軸を回動軸としてその扉の上端縁部から正面方向に倒れるように回動し、開閉することとなる。
【００６６】
この場合、上記第１実施の形態の第１磁性体２８−１，２８−２及び第２磁性体３０−１，３０−２による扉の閉位置固定機構をそのまま用いることが可能となる。
【００６７】
また、上記第１磁性体の変形例において、釘４４はステンレスなどの第１〜第３磁性体に吸着しない金属を材料としている。さらに、上記第１磁性体の変形例において、第１磁性体４０−１は釘４４によって固定されているが、釘４４に限定されず、他の固定手段を用いて固定されていてもよい。
【符号の説明】
【００６８】
１０  家具
１１  箱本体
１２  天板
１４−１，１４−２  側板
１４−１ａ，１４−２ａ  側板の正面側端部
１４−１ｂ，１４−２ｂ  側板の外側面部
１８  底板
２０−１，２０−２  扉
２０−１ａ，２０−２ａ  扉の正面部
２０−１ｂ，２０−２ｂ  扉の裏面部
２０−１ｃ，２０−２ｃ  扉の上端縁部
２４  開口部
２６−１，２６−２  扉の上端縁部に設けられた凹部
２６−１ｂ，２６−２ｂ  凹部内の底部
２６−１ｂ，２６−１ｂ  底部
２８−１，２８−２，４０−１，４０−２  第１磁性体
３０−１，３０−２  第２磁性体
３２−１，３２−２  第３磁性体
【図１】
2018174999.tif 000003
【図２】
2018174999.tif 000004
【図３】
2018174999.tif 000005
【図４】
2018174999.tif 000006
【図５】
2018174999.tif 000007